(57)【要約】【課題】角形断面を有する標識柱保持部のすべての四側面の中央線上２箇所、計８箇所に締結機構のねじを設け、切損標識柱の基部を水平面上の四方向より、しかも夫々上下部で確固に保持できるようにすると共に、切損標識柱の下部を支持固定する載置板を、長軸部用案内固定板と短軸部用案内固定板の対角線部の先端に配置して安定して載置できるようにした切断標識保持具の提供。【解決手段】切断された標識柱ａの地面に埋設した根元ａ１に、直交する長軸部用案内固定板２と、短軸部用案内固定板３を打圧係入させて起立される切断標識保持具Ｘの四角形の四角断面を有する標識柱保持部７の四周面の各面の中央線上、上下２箇所、計８箇所に締結機構９を設けると共に、この締結機構９はナット部とこれに螺合するねじとより成り、標識柱保持部７に挿入される切断標識柱ａの基部を四周方向上下より押込固定できるようにして成ることを特徴とする切断標識保持具。【選択図】図１
2014080734.tif 000002
【特許請求の範囲】
【請求項１】
切断された標識柱の地面に埋設した根元に、直交する長軸部用案内固定板と、短軸部用案内固定板を打圧係入させて起立される切断標識保持具の四角形の四角断面を有する標識柱保持部の四周面の各面の中央線上、上下２箇所、計８箇所に締結機構を設けると共に、この締結機構はナット部とこれに螺合するねじとより成り、標識柱保持部に挿入される切断標識柱の基部を四周方向上下より押込固定できるようにして成ることを特徴とする切断標識保持具。
【請求項２】
直交する長軸部用案内固定板と短軸部用案内固定板の頂部に形成される対角線部上に載置板を配設して、打ち込み台からの衝撃を防ぎ、かつ切断標識柱の切断面を支持できるようにして成ることを特徴とする請求項１記載の切断標識保持具。
【発明の詳細な説明】
【技術分野】
【０００１】
本発明は、道路側辺に植立させた標識柱が切損した場合に、その切断標識を有効迅速に原位置に保持させて起立再生を可能とする切断標識保持具に関する。
【背景技術】
【０００２】
この種の切断標識保持具には、自動車等の衝突により、断面が楕円形状に変形し、根元から切断された標識柱を、差し込んで保持するための、角形断面をもった標識柱保持部を有し、該標識柱保持部の側部に、締結機構を取り付け、標識柱保持部の下部に、前記角形断面の対角線部に、それぞれ先端に角度のついた長軸部用案内固定板と短軸部用案内固定板を上下方向に適合した位置に互にずらせて取り付けてなる切断標識保持具が知られている（例えば、特許文献１参照。）。
【先行技術文献】
【特許文献】
【０００３】
【特許文献１】特公平８−１０４９号公報
【発明の概要】
【発明が解決しようとする課題】
【０００４】
ところが、上記の特許文献１の四角形の角形断面をもつ標識柱保持部内に挿入されて、ハンマーなどで叩き打する打ち込み台の下端面は、直接、対角線の長軸部用案内固定板と、短軸部用案内固定板の先端と、当接しているので、両先端に直接衝撃を与えて変形破損する虞れがあるばかりでなく、切損した根元の標識柱の角形断面を有する標識柱保持部に挿通される切損標識柱を、確固に固定させる締結機構のねじは、角形断面のすべての四側面でなく、隣り合う両側面の二側面にのみ設けてあるので、偏倚した片寄った状態での固定しか保持できず、往々にして傾斜変形が余儀なくされ、正しく確固に固定できないという不都合、問題があった。
【０００５】
本発明は、叙上の点に着目したもので、角形断面を有する標識柱保持部のすべての四側面の中央線上２箇所、計８箇所に締結機構のねじを設け、切損標識柱の基部を水平面上の四方向より、しかも夫々上下部で確固に保持できるようにすると共に、切損標識柱の下部を支持固定する載置板を、長軸部用案内固定板と短軸部用案内固定板の対角線部の先端に配置して安定して載置できるようにした切断標識保持具を提供することを目的とする。
【課題を解決するための手段】
【０００６】
以下に、本発明の技術的構成を説明する。
【０００７】
（１）切断された標識柱の地面に埋設した根元に、直交する長軸部用案内固定板と、短軸部用案内固定板を打圧係入させて起立される切断標識保持具の四角形の四角断面を有する標識柱保持部の四周面の各面の中央線上、上下２箇所、計８箇所に締結機構を設けると共に、この締結機構はナット部とこれに螺合するねじとより成り、標識柱保持部に挿入される切断標識柱の基部を四周方向上下より押込固定できるようにして成ることを特徴とする切断標識保持具。
【０００８】
（２）直交する長軸部用案内固定板と短軸部用案内固定板の頂部に形成される対角線部上に載置板を配設して、打ち込み台からの衝撃を防ぎ、かつ切断標識柱の切断面を支持できるようにして成ることを特徴とする前記（１）記載の切断標識保持具。
【発明の効果】
【０００９】
本発明によれば、切断標識柱を四角形の四角断面を有する標識保持部の四周面すべての面の中心線上に設けた上下二段の締結機構によって固定しているので、微妙な調節が可能となり、旧の傾斜状態に正しく起立させることができると共に、直交する長軸部用案内固定板と短軸部用案内固定板の頂部に載置される載置板は、対角線上であるので、押打打ち込みの際の打ち込み台の衝撃を緩和して、両案内板の頂部を変形破損させる不都合を回避でき、円滑な打ち込み作業を迅速短時間に行わせることができる。
【図面の簡単な説明】
【００１０】
【図１】本発明に係る切断標識保持具の一実施例を示す一部切欠した斜視図
【図２】同上切断標識保持具の四角断面を有する標識保持部を拡大して示す平面図
【図３】図２に示す締結機構の拡大分離切欠図
【図４】使用状態を示す説明断面図
【発明を実施するための形態】
【００１１】
以下に、本発明の一実施例を説明する。
【実施例】
【００１２】
図面について説明する。１は、切断された地表に埋設された切断標識柱ａの根元ａ１に叩打して固定できる切断標識保持具Ｘの差し込み拡張板部であって、互いに直交する長軸部用案内固定板２と短軸部用案内固定板３とを備え、両板２，３の頂部には対角線部４を形成している。
【００１３】
５，６は、前記長軸部用案内固定板２及び短軸部用案内固定板３の夫々の上部の突出部を示し、この突出部５，６と基部が掛止され固着される四角形の四角断面の標識柱保持部７を備える。具体的には、中空の標識柱保持部７の四隅角部に穿った切溝７ａを前記突出部５，６の端部に挿入させて溶接固着させる。
【００１４】
８は、前記標識柱保持部７の全四周面を示し、各面８の中心線（Ｏ−Ｏ）上の対角線部４より上方において、２箇所、計８箇所に締結機構９を備える。
【００１５】
この締結機構９は、各面８に透過孔１０を穿ち、この透過孔１０の外周にナット１１を溶接固着し、このナット１１と螺合するねじの六角穴付止めボルト１２を螺合して構成される。
【００１６】
従って、六角穴付止めボルト１２の六角穴の頭部は完全にナット１１内に隠れ、表面より突出することがなくなり、溶接されたナット１１は各面８より微かに突出するが、前記ボルト１２の頭部はナット１１により包囲隠蔽されて現れることがない。
【００１７】
１３は、前記対角線部４に載置される四角形状の載置板であって、直交する長軸部用案内固定板２及び短軸部用案内固定板３の頂部の対角線部４の補強と、挿し込まれる切断標識柱ａの切断端面の支持固定を確実にさせることができる。
【００１８】
なお、上記構成の直交する長軸部用案内固定板２及び短軸部用案内固定板３で構成される差し込み拡張板部１及び載置板１３並びに四角断面の標識柱保持部７は、鋳造特にロストワックス工法で一体成形することが好ましい。
【００１９】
また、切断標識柱ａの外径の長さＬに対し、この切断標識柱ａを保持固定する四角断面の標識柱保持部７の一辺の内径の長さＭとの長さの関係は、
Ｍ＝Ｌ＋ΔＬ
を保持させ、数ミリセンチメートルの長さΔＬだけ標識柱保持部７の一辺の方が長く形成しなければ切断標識柱ａを挿通保持させることは理論上不可能である。
【００２０】
上述の構成において、地表上の埋設されている根元の標識柱ａ１に、切断標識保持具Ｘの拡張板部１を差し込み打ち込み台１４を介してハンマーなどを用いて切断標識保持具Ｘを植え込む。
【００２１】
この場合、打ち込み台１４は四角断面の標識柱保持部７内の載置板１３上に載置させて、長軸部用案内固定板２と短軸部用案内固定板３の頂部に形成される対角線部４に対しては、直接衝撃力を働かせていないので、変形破損を生ずることなく両案内固定板２，３は、地表の切断された根元ａ１内に円滑に侵入して、切断標識保持具Ｘを切断された切断標識柱ａの根元ａ１に確実に起立植設できる。切断標識保持具Ｘの起立後、打ち込み台１４を取り出す。
【００２２】
そして、切断された地表の切断標識柱ａの切断側下端を植立させた切断標識保持具Ｘの四角断面の標識柱保持部７の開口部内に挿通させ、載置板１３上に一時的に起立させる。
【００２３】
ついで、四角形の四角断面の標識柱保持部７の四周各面８の上下２箇所、計８箇所の締結機構９の六角穴付止めボルト１２を順次と図示しないドライバーを用いて段階的に緊締度合を変化させて、切断標識柱ａを直状に起立させた状態で確固に固定することができる。
【００２４】
さらに、六角穴付止ボルト１２の先端は円錐状に突起しているので、切断標識柱の図面において、予め設定した状態で締結作業を行えば、不用意にずれる惧れもない。
【００２５】
従って、起因、固着後は、旧の現状に戻って、新品と同様な標識機能を奏し得る。
【００２６】
以上、本発明の一実施例を記述したが、締結機構９において、六角穴付止ボルト１２に代えて通常のボルトを用いても頭部が周面８より必要以上に突出させないように配慮することが好ましい。
【符号の説明】
【００２７】
１      差し込み拡張板部
２      長軸部用案内固定板
３      短軸部用案内固定板
４      対角線部
５，６  突出部
７      標識柱保持部
７ａ    切溝
８      標識柱保持部の全四周面
９      締結機構
１０    透過孔
１１    ナット
１２    六角穴付止めボルト
１３    載置板
１４    打ち込み台
ａ      切断された地表上の標識柱
ａ１    切断された地中に埋設されている根元
Ｘ      切断標識保持具
Ｌ      外径の長さ
Ｍ      内径の長さ
【図１】
2014080734.tif 000003
【図２】
2014080734.tif 000004
【図３】
2014080734.tif 000005
【図４】
2014080734.tif 000006
【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
切断された標識柱の地面に埋没した根元に押圧係入され、前記切断された標識柱の基部を起立固定するための切断標識保持具であって、
前記埋没した根元に押圧係入される直交する長軸部用案内固定板と短軸部用案内固定板と、
前記直交する長軸部用案内固定板と短軸部用案内固定板の頂部に形成される対角線部上に配設される載置板と、
前記長軸部用案内固定板と前記短軸部用案内固定板が内側下部に固着される四角断面を有する標識柱保持部と、
前記切断された標識柱の基部を固定するための前記標識柱保持部に設けられた締結機構と、を有し、
前記載置板が、打ち込み台からの衝撃を防ぎ、かつ前記切断された標識柱の基部の切断面を支持できるようにして成ることを特徴とする切断標識保持具。
【請求項２】
前記締結機構は、前記標識柱保持部の四周面の各面の中央線上、上下２箇所、計８箇所に設けられ、ナット部とこれに螺合するねじとより成り、前記標識柱保持部に挿入される前記切断された標識柱の基部を四周方向上下より押込固定できるようにして成ることを特徴とする請求項１記載の切断標識保持具。
【手続補正２】
【補正対象書類名】明細書
【補正対象項目名】０００７
【補正方法】変更
【補正の内容】
【０００７】
（１）切断された標識柱の地面に埋没した根元に押圧係入され、前記切断された標識柱の基部を起立固定するための切断標識保持具であって、前記埋没した根元に押圧係入される直交する長軸部用案内固定板と短軸部用案内固定板と、前記直交する長軸部用案内固定板と短軸部用案内固定板の頂部に形成される対角線部上に配設される載置板と、前記長軸部用案内固定板と前記短軸部用案内固定板が内側下部に固着される四角断面を有する標識柱保持部と、前記切断された標識柱の基部を固定するための前記標識柱保持部に設けられた締結機構と、を有し、前記載置板が、打ち込み台からの衝撃を防ぎ、かつ前記切断された標識柱の基部の切断面を支持できるようにして成ることを特徴とする切断標識保持具
【手続補正３】
【補正対象書類名】明細書
【補正対象項目名】０００８
【補正方法】変更
【補正の内容】
【０００８】
（２）前記締結機構は、前記標識柱保持部の四周面の各面の中央線上、上下２箇所、計８箇所に設けられ、ナット部とこれに螺合するねじとより成り、前記標識柱保持部に挿入される前記切断された標識柱の基部を四周方向上下より押込固定できるようにして成ることを特徴とする前記（１）記載の切断標識保持具。